(57)【要約】      （修正有）【課題】オペレータが既設の計算機システムに対する設定入力操作と同じ設定入力操作を検証対象となる新たな計算機システムに対して行うに際し、入力ミスや大幅な入力遅れなどを回避できる設定画面取込装置および計算機システムの性能検証方法などの提供。【解決手段】既設システムのモニタに送られる画像信号を取得し、その画像信号に基づいて前記モニタに表示される設定文字入力前後の各設定画面と同じ設定画面を生成し、それら各設定画面中の設定入力文字表示領域の変化から設定入力された文字を識別し、識別した設定入力文字に対応する設定入力文字情報を生成した後、生成した設定入力文字情報を新システムへ送信する。これによって、オペレータが既設システムに対する設定入力操作と同じ設定入力操作を検証対象となる新システムに対して行うに際し、入力ミスや大幅な入力遅れなどの不都合を確実に回避できる。【選択図】図１
2008250734.tif 000002
【特許請求の範囲】
【請求項１】
既設の計算機システムのモニタに送られる画像信号を取得する画像信号取得部と、
当該画像信号取得部で取得した画像信号に基づいて前記モニタに表示される設定文字入力前後の各設定画面と同じ設定画面を生成する設定画面生成部と、
当該設定画面生成部で生成された設定文字入力前後の各設定画面中の設定入力文字表示領域の変化から設定入力された文字を識別する設定入力文字識別部と、
当該設定入力文字識別部で識別した設定入力文字に対応する設定入力文字情報を生成する文字情報生成部と、
当該文字情報生成部で生成した設定入力文字情報を新設予定の計算機システムへ送信する文字情報送信部と、を有することを特徴とする設定画面取込装置。
【請求項２】
既設の計算機システムのモニタに送られる画像信号を取得する画像信号取得ステップと、
当該画像信号取得ステップで取得した画像信号に基づいて前記モニタに表示される設定文字入力前後の各設定画面と同じ設定画面を生成する設定画面生成ステップと、
当該設定画面生成ステップで生成された設定文字入力前後の各設定画面中の設定入力文字表示領域の変化から設定入力された文字を識別する設定入力文字識別ステップと、
当該設定入力文字識別ステップで識別した設定入力文字に対応する設定入力文字情報を生成する文字情報生成ステップと、
当該文字情報生成ステップで生成した設定入力文字情報を前記新設予定の計算機システムへ送信する文字情報送信ステップと、を有することを特徴とする設定画面取込方法。
【請求項３】
計算機システムを更新するに際し、既設の計算機システムと、これに代わって新設予定の計算機システムとを所定期間、同時並行的に稼働させて当該新設予定の計算機システムの性能を検証する方法であって、
前記既設の計算機システムのモニタに送られる画像信号を取得する画像信号取得ステップと、
当該画像信号取得ステップで取得した画像信号に基づいて前記モニタに表示される設定文字入力前後の各設定画面と同じ設定画面を生成する設定画面生成ステップと、
当該設定画面生成ステップで生成された設定文字入力前後の各設定画面中の設定入力文字表示領域の変化から設定入力された文字を識別する設定入力文字識別ステップと、
当該設定入力文字識別ステップで識別した設定入力文字に対応する設定入力文字情報を生成する文字情報生成ステップと、
当該文字情報生成ステップで生成した設定入力文字情報を前記新設予定の計算機システムへ送信する文字情報送信ステップと、
当該文字情報送信ステップによる設定入力文字情報の送信に基づく前記新設予定の計算機システムの出力値と、前記既設の計算機システムの設定文字入力後の出力値とを照合して前記新設予定の計算機システムの性能を検証する性能検証ステップと、を有することを特徴とする計算機システムの性能検証方法。
【発明の詳細な説明】
【技術分野】
【０００１】
本発明は、製鉄所における既設の計算機システムを新たな計算機システムに更新するに際して用いられる設定画面取込装置および方法、ならびにこれを用いた計算機システムの性能検証方法に関するものである。
【背景技術】
【０００２】
従来の製鉄所においては、膨大なプロセスや設備を対象として多種多様な品種を高品質で生産するために各プロセス毎に専用のプロセス制御用コンピュータ（以下、「プロコン」と称す）やＰＬＣ（Programmable Logic Controller：シーケンサ）、ＰＩＯ（Process Input Output：プロセス入出力制御装置)、ＣＲＴ（モニタ）などからなる計算機システムが設置されており、各プロセスに精通したオペレータによって適宜に操作されることで各プロセス毎に最適な制御がなされている。
【０００３】
これらプロコンなどからなる従来の計算機システムは、各プロセス毎に重電メーカによって独自に製造された極めて高機能なものであるが、一般に極めて高価であり、またその多くは既に初期設置から２０〜３０年以上が経過していることから、その老朽化に伴う新たな計算機システムへの更新に際しては、従来の専用のものからオープン仕様の汎用コンピュータシステムにとって代わりつつある（例えば、以下の非特許文献１など）。
【０００４】
そして、このような既設の計算機システムから新たな計算機システムへの移行・更新に際しては、その新たな計算機システムと既設の計算機システムとのハードウェアのアークテクチャやＯＳ、使用言語などの違いなどから機能の差が生じないように所定の移行期間を設け、その移行期間内に新システムの検証（テスト）を十分に行ってから新旧システムの完全な切換が行われることになる。
【０００５】
すなわち、現在稼働している既設の計算機システムと併設された新たな計算機システムとを並行運転し、オペレータが当該プロセスで既設の計算機システムに対して行う各種設定の入力操作と同じ入力操作を新たな計算機システムに対しても同時に行い、その設定入力操作に対する新たな計算機システムの出力結果を既設の計算機システムの出力結果と照合することで、その新たな計算機システムの機能や信頼性などを検証する。そして、その検証結果に応じてその新たな計算機システムに対して必要な改良や微調整を繰り返し、既設の計算機システムと同等以上の機能や信頼性などが十分に得られたと判断された後に新旧システムの完全な切換（所謂、老朽化更新）が行われることになる。
【非特許文献１】新日鉄技報  第３７９号、[online]、[平成１９年３月１５日検索]、インターネットＵＲＬ＜http://www0.nsc.co.jp/kenkyusho/contenthtml/s379/37903.pdf#search='%E6%96%B0%E6%97%A5%E9%89%84%E6%8A%80%E5%A0%B1%E7%AC%AC%EF%BC%93%EF%BC%97%EF%BC%99%E5%8F%B7'＞
【発明の開示】
【発明が解決しようとする課題】
【０００６】
ところで、このような老朽化更新に伴う新たな計算機システムの検証時における各種設定の入力操作は、例えば、その既設の計算機システムを操作する熟練オペレータとは異なる、新たな計算機システムの開発要員などがそのオペレータの横に立ってそのオペレータの設定入力操作を監視し、そのオペレータと同じ設定入力操作を新たな計算機システムに対して行ったり、あるいはそのオペレータ自身が既設の計算機システムに対する設定入力操作と同じ設定入力操作を新たな計算機システムに対して同時に行うといった方法が考えられる。
【０００７】
しかしながら、製鉄所における各プロセスの殆どは、その計算機システムに対して的確なタイミングで的確な設定入力操作を行わなければならず、その設定入力操作時間のずれが数秒程度ならともかく、１分以上もずれてしまうと、そのプロセスや出力値が大きく異なってしまい、正確な検証が行えないといった問題がある。
また、前述したように別々のオペレータ、つまり熟練オペレータと新システムの開発要員とがそれぞれのシステムに対して同じ設定入力操作を行う場合は勿論、同じオペレータがそれぞれのシステムに同時に設定入力操作を行う方法であっても、新旧システムの入力装置の仕様や操作が異なるなどの理由によって誤った設定入力操作をするケースが多発することが予想される。そして、このような誤った設定入力操作を行った場合には、再度始めから検証をし直さなければならず、その検証には膨大な時間と多大な労力を要する。
【０００８】
なお、既設の計算機システムに入力された信号をその既設の計算機システムの設定入力装置などから分岐して取り出して新たな計算機システムで利用するなどといったことも考えられるが、前述したようにその既設の計算機システムのハードウェア構成や入力システムなどはそれを製造した重電メーカ独自の仕様であり、その内部機構に安易に手を加えると既設の計算機システムが故障したり、停止してしまうなどいった重大なトラブルを招く可能性があるため、適当ではない。
【０００９】
そこで、本発明はこのような課題を有効に解決するために案出されたものであり、その目的は、オペレータが既設の計算機システムに対する設定入力操作と同じ設定入力操作を検証対象となる新たな計算機システムに対して行うに際し、入力ミスや大幅な入力遅れなどの不都合を確実に回避できる新規な設定画面取込装置および方法ならびに計算機システムの性能検証方法を提供するものである。
【課題を解決するための手段】
【００１０】
前記課題を解決するために請求項１の発明は、
既設の計算機システムのモニタに送られる画像信号を取得する画像信号取得部と、当該画像信号取得部で取得した画像信号に基づいて前記モニタに表示される設定文字入力前後の各設定画面と同じ設定画面を生成する設定画面生成部と、当該設定画面生成部で生成された設定文字入力前後の各設定画面中の設定入力文字表示領域の変化から設定入力文字を識別する設定入力文字識別部と、当該設定入力文字識別部で識別した設定入力文字に対応する設定入力文字情報を生成する文字情報生成部と、当該文字情報生成部で生成した設定入力文字情報を新設予定の計算機システムへ入力する文字情報入力部と、を有することを特徴とする設定画面の取込装置である。
【００１１】
また、請求項２の発明は、
既設の計算機システムのモニタに送られる画像信号を取得する画像信号取得ステップと、当該画像信号取得ステップで取得した画像信号に基づいて前記モニタに表示される設定文字入力前後の各設定画面と同じ設定画面を生成する設定画面生成ステップと、当該設定画面生成ステップで生成された設定文字入力前後の各設定画面中の設定入力文字表示領域の変化から設定入力文字を識別する設定入力文字識別ステップと、当該設定入力文字識別ステップで識別した設定入力文字に対応する設定入力文字情報を生成する文字情報生成ステップと、当該文字情報生成ステップで生成した設定入力文字情報を前記新設予定の計算機システムへ入力する文字情報入力ステップと、を有することを特徴とする設定画面の取込方法である。
【００１２】
一方、請求項３の発明は、
計算機システムを更新するに際し、既設の計算機システムと、これに代わって新設予定の計算機システムとを所定期間、同時並行的に稼働させて当該新設予定の計算機システムの性能を検証する方法であって、前記既設の計算機システムのモニタに送られる画像信号を取得する画像信号取得ステップと、当該画像信号取得ステップで取得した画像信号に基づいて前記モニタに表示される設定文字入力前後の各設定画面と同じ設定画面を生成する設定画面生成ステップと、当該設定画面生成ステップで生成された設定文字入力前後の各設定画面中の設定入力文字表示領域の変化から設定入力文字を識別する設定入力文字識別ステップと、当該設定入力文字識別ステップで識別した設定入力文字に対応する設定入力文字情報を生成する文字情報生成ステップと、当該文字情報生成ステップで生成した設定入力文字情報を前記新設予定の計算機システムへ入力する文字情報入力ステップと、当該文字情報入力ステップによる設定入力文字情報の入力に基づく前記新設予定の計算機システムの出力値と、前記既設の計算機システムの設定文字入力後の出力値とを照合して前記新設予定の計算機システムの性能を検証する性能検証ステップと、を有することを特徴とする計算機システムの性能検証方法である。
【発明の効果】
【００１３】
請求項１および２の発明によれば、オペレータが既設の計算機システムに対して設定入力文字を入力してその設定入力文字がモニタに表示されると、これとほぼ同時にそのモニタに表示される設定入力文字を識別してその設定入力文字を新設の計算機システムへ入力するようにしたことから、新たな計算機システムに対する入力ミスや大幅な入力操作遅れなどを確実に回避することができる。
そして、請求項３の発明によれば、このようにして新たな計算機システムに対する設置値の入力ミスや大幅な入力遅れなどがなくなるため、新たな計算機システムに対して信頼性の高い性能検証を確実かつ効率的に実現できる。
【発明を実施するための最良の形態】
【００１４】
以下、本発明を実施するための最良の形態を添付図面を参照しながら詳述する。
図１は、本発明に係る設定画面取込装置１００の実施の一形態を示したものである。
図示するように、この設定画面取込装置１００は、例えば、デスクトップパソコンやノートパソコンなどの汎用の情報処理装置などから構成されており、後述する画像信号取得部１０と、設定画面生成部２０と、設定入力文字識別部３０と、文字情報生成部４０と、文字情報送信部５０とに対応する各機能を、そのパソコンを構成する入出力装置やＣＰＵ、メモリ（ＲＡＭ、ＲＯＭ）などのハードウェアと、汎用のＯＳや専用のアプリケーションなどからなるソフトウェアとによって実現するようになっている。
【００１５】
先ず、この設定画面取込装置１００によって実現される画像信号取得部１０は、図２に示すように、特定のメーカ製のプロコンやＣＲＴ（陰極線管：モニタ）、ＰＩＯ（Process Input Output：プロセス入出力制御装置）、ＬＡＮ（ローカルエリアネットワーク）、ＰＬＣ（Programmable Logic Controller：シーケンサ）などからなる既設の計算機システム（以下、適宜「既設システム」と略す）のモニタ（ＣＲＴ）に送られる画像信号を取得する機能を提供するものであり、例えば、図２に示すようにプロコンからモニタ（ＣＲＴ）に送られるＲＧＢアナログ信号などの画像信号をその信号線の途中またはその信号線とモニタまたはプロコンとのインタフェース部分などから分岐・接続した映像信号ケーブルなどを介してこの設定画面取込装置１００内に取り込むようになっている。
【００１６】
次に、設定画面生成部２０は、この画像信号取得部１０で取得した画像信号に基づいて前記モニタに表示される設定文字入力前後の各設定画面と同じ設定画面を生成して適宜保存する機能を提供するものであり、例えば、図４に示すようなプロコンのモニタ（ＣＲＴ）に表示される各設定画面ｍ１〜ｍ３をそのままキャプチャーし、そのハードコピー（スクリーンショット）を複数の画素に分割すると共に分割した各画素値をＡ／Ｄ変換したデジタル画像ファイルを生成し、生成したデジタル画像ファイルを、例えば「ｂｍｐ」や「ＪＩＦ」、「ｊｐｅｇ」などのような、汎用のＯＳや画像処理ソフトで対応できるデジタル画像データ保存形式で保存するようになっている。
【００１７】
設定入力文字識別部３０は、この設定画面生成部２０で生成・保存された設定文字入力前後の各設定画面中の設定入力文字表示領域の変化から設定入力された文字を識別する機能を提供するものであり、例えば、図４（ａ）に示すような設定文字入力前の設定画面ｍ１と、図４（ｂ）に示すような設定文字入力後の設定画面ｍ２との画面情報（画素値）の変化などからその設定入力文字表示領域、例えば３つの設定入力文字表示領域Ｐ１，Ｐ２，Ｐ３への設定入力文字の有無、およびそれら各領域に入力された数字やアルファベットなどの文字を具体的に識別するようになっている。
【００１８】
文字情報生成部４０は、この設定入力文字識別部３０で具体的に識別した設定入力文字に対応する新たな設定入力文字情報を生成する機能を提供するものであり、例えば、この設定入力文字識別部３０で識別された文字に対応する文字コードのうち、新設の計算機システムを構成する汎用のコンピュータやサーバで識別可能な文字コード、例えばアスキーコード（ＡＳＣＩＩ）やユニコード（Ｕｎｉｃｏｄｅ）などの汎用の文字コードを生成するようになっている。
【００１９】
そして、文字情報送信部５０は、この文字情報生成部４０で生成した設定入力文字情報をＬＡＮなどのネットワークを介して新設する計算機システムへ送信する機能を提供するものであり、例えばＩＥＥＥ８０２で規定された汎用のプロトコルとこれを用いた送受信機器などの送受信システムから構成されている。
なお、この新設予定の計算機システムの構成としては特に限定されるものではないが、例えば図２に示すように、汎用のサーバやノートパソコン（ＯＡパソコン）、汎用のシーケンサなどをイーサネット（登録商標）規格などに則った汎用のＬＡＮで双方向に接続した構造とし、この文字情報送信部５０で送信される新たな設定入力文字情報（文字コード）をこの汎用のＬＡＮを介して汎用のサーバやノートパソコン（ＯＡパソコン）などに入力するようになっている。
【００２０】
また、図１に示すように、この設定画面取込装置１００には、キーボードやテンキー、マウスなどの各種汎用の入力装置と、ＬＣＤモニタやプリンタなどの各種汎用の出力装置が設けられており、オペレータなどの任意の操作によって後述するように画像信号取得部１０による画像信号の取り込みのタイミングを決定したり、取り込んだ設定画面や識別した設定入力文字などを適宜表示できるようになっている。
【００２１】
次に、このような設定画面取込装置１００を用いた既設システムのモニタ設定画面の取込方法および本方法を用いた新設の計算機システムの性能検証方法などについて、図３のフローチャートを主に参照しながら説明する。
先ず、製鉄所における圧延処理などのあるプロセスの過程において、そのプロセスを監視、制御するオペレータがそのプロセスを制御する既設システムのプロコンに対して所定の設定操作を行う場合、最初のステップＳ１００において、そのオペレータがその既設システムのプロコンのキーボード（入力装置）を操作してそのプロコンに対して設定画面表示要求を行う。
【００２２】
すると、この設定画面表示要求を受けたプロコンは、その設定画面を内部メモリから読み込んでくると共に、その設定画面を自己のモニタであるＣＲＴ上に表示すべくそれに対応するＲＧＢアナログ信号をそのＣＲＴに送信する（ステップＳ１０２）。
次に、このＣＲＴ上に表示された設定画面を確認したオペレータは、この設定画面取込装置１００に対してそのＣＲＴ上に表示された画面情報を設定画面取込装置１００側に取り込むための操作を行う。具体的には、図１に示すように設定画面取込装置１００に付設されたテンキーなどの入力装置を操作して画面情報取込命令キーである数字の「１」などを押し下げる（ステップＳ２００）。
【００２３】
すると、この設定画面取込装置１００は、そのＲＧＢアナログ信号に基づいてそのＣＲＴ上に表示された画面情報のハードコピーを取り込んでその画面情報に対応するデジタル画像データを生成した後、その画面に表示された設定入力文字表示領域内に表示された文字を認識すると共に、その画面情報およびその文字認識結果などを一時的に保存する（ステップＳ２０２）。
【００２４】
図４（ａ）は、このステップＳ２０２で取り込んだ既設システムの設定画面ｍ１およびその設定画面ｍ１に表示される画面情報の一例を示したものであり、オペレータによる設定文字入力前の状態を示したものである。そして、同図の設定画面ｍ１の例では、３つの項目（設定入力文字表示領域）のうち、項目１および２には、それぞれ「画面１」および「ＡＡ」という文字が表示されているが、項目３には文字が一切表示されていない状態となっている。
【００２５】
次に、オペレータは、このようにして最初の画面情報取込操作を行ったならば、ステップＳ１０４に移行して再びその既設システムのプロコンのキーボードを操作してそのプロコンに対して設定文字を入力すると、この入力を受け付けたプロコンは、その設定入力文字をそのＣＲＴ上の設定画面上に表示する（ステップＳ１０６）。
そして、このＣＲＴ上に表示された設定文字入力済みの設定画面を確認したオペレータは、その画面情報を再度設定画面取込装置１００側に取り込む操作を行う。具体的には、ステップＳ２００と同様に、設定画面取込装置１００側に設けられたテンキーなどの入力装置を操作して２回目の画面情報取込命令キーである数字の「２」などを押し下げる（ステップＳ２０４）。
【００２６】
すると、この設定画面取込装置１００は、再びそのＲＧＢアナログ信号に基づいてそのＣＲＴ上に表示された画面情報のハードコピーを取り込んでその画面情報に対応するデジタル画像データを生成した後、その画面に表示された設定入力文字表示領域内に表示された文字を認識すると共に、その画面情報およびその文字認識結果などを一時的に保存する（ステップＳ２０６）。
【００２７】
図４（ｂ）は、このステップＳ２０６で取り込んだ設定画面ｍ２および画面情報の一例を示したものであり、オペレータによる設定文字入力の結果、３つの項目（設定入力文字表示領域Ｐ１、Ｐ２、Ｐ３）のうち、項目１および２は、最初の設定画面と変化がないが、項目３には新たに「１」という文字が表示された状態となっている。
このようにして設定文字入力前後の各画面情報が取り込まれて保存されたならば、この設定画面取込装置１００は、ステップＳ２０８に示すようにこれら保存された各画面情報を比較して変化があった項目（設定入力文字表示領域）に入力があったと判断すると共に、その項目（設定入力文字表示領域）の文字を識別し、その識別された文字とその項目の領域などの情報を新設システムに対して送信する。
【００２８】
図４の例では、設定画面の項目３に「１」という文字が入力されたことが識別され、この「１」という文字に対応する文字コードと、その設定画面の項目３に対応する情報が生成されて新設システム側に送信されることになる。
そして、このような設定入力文字情報を受け取った新設システムでは、この設定入力文字情報を受けて既設システムと同様な処理を実行する（ステップＳ３００）。
【００２９】
次に、オペレータは、ステップＳ１０４で行った設定文字入力に対する既設システムによる処理が完了したならば、ステップＳ１０８に移行して再びその既設システムのプロコンのキーボードを操作してそのプロコンに対して処理を完了する旨の設定文字を入力すると、この入力を受け付けた既設システムのプロコンは、ステップＳ１１０に示すようにその完了処理要求を受け付けると共に、その設定入力文字をその設定画面上に表示した後、ステップＳ１１２に示すようにそのログ結果をＣＲＴなど表示すると共に、プリントアウトして出力する。
【００３０】
そして、このＣＲＴ上に表示された設定文字入力済みの設定画面を確認したオペレータは、その画面情報を再び設定画面取込装置１００側に取り込む操作を行う。具体的には、ステップＳ２００、Ｓ２０４と同様に設定画面取込装置１００側に設けられたテンキーなどの入力装置を操作して３回目の画面情報取込命令キーである数字の「３」などを押し下げる（ステップＳ２１０）。
一方、この設定画面取込装置１００は、同じく再度その画面情報を取り込んだ後、その画面に表示された文字を認識すると共にその画面情報およびその文字認識結果を保存する（ステップＳ２１２）。
【００３１】
図４（ｃ）は、このステップＳ１１０で取り込んだ設定画面ｍ３およびその画面情報の一例を示したものであり、オペレータによる設定文字入力の結果、３つの項目（設定入力文字表示領域）のうち、項目１は、最初の設定画面と変化がないが、項目２には、処理完了を示す「ＢＢ」という文字が表示されると共に、項目３に入力した設定入力文字が消えた状態となっている。
このようにして処理終了に対応する設定文字入力後の画面情報が取り込まれて保存されたならば、この設定画面取込装置１００は、ステップＳ２１４に移行して既に保存された直前の画面情報と比較して変化があった項目（設定入力文字表示領域）の文字を識別し、その識別された文字とその項目などの情報を新設システム側に送信する。
【００３２】
図４の例では、設定画面の項目２に「ＢＢ」という文字が入力されると共に、項目３の「１」という文字が消滅したことが識別され、それに対応する文字コードと、その設定画面の項目２および３に対応する情報が新設システム側に送信されることになる。
この設定入力文字情報を受け取った新設システムは、この設定入力文字情報を受け（ステップＳ３００）、既設システムと同様にその処理を終了した後、ステップＳ３０２に移行してその処理に対する結果を既設システムの出力装置であるモニタ上に表示すると共に、その結果を記録したログをプリントアウトなどして出力する。
【００３３】
そして、新旧システムの検証を行う開発要員などが、最後のステップＳ３０４に示すようにこのようにして得られた新旧各システムのログの出力結果を照合してその新たな計算機システムの機能や信頼性などを検証し、その検証結果、適宜必要に応じてその新たな計算機システムに対して必要な改良や微調整を繰り返すことで、既設の計算機システムと同等以上の機能や信頼性を有する新たな計算機システムを製作することができる。
【００３４】
このように本発明は、オペレータが既設の計算機システムに対して設定入力文字を入力してその設定入力文字がモニタに表示されると、これとほぼ同時にそのモニタに表示される設定入力文字を識別してその設定入力文字を新設の計算機システムへ入力するようにしたことから、新たな計算機システムに対する設置文字情報の入力ミスや大幅な入力遅れなどを確実に回避することができる。
【００３５】
この結果、新設予定の計算機システムに対する検証を最初から何度もやり直したりする必要がなくなり、効率的な検証作業を行うことが可能となる。
また、既設の計算機システムの内部機構に手を加えることがないため、新設予定の計算機システムに対する検証期間中における既設の計算機システムの故障や停止などといった重大なトラブルを招くこともない。
また、この設定画面取込装置１００は、市販のデスクトップパソコンやノートパソコンなどの汎用の情報処理装置と画像処理用のソフトウェアをベースとして容易に構築することができるため、その製作コストや検証コストなども大幅に削減することが可能となる。
【図面の簡単な説明】
【００３６】
【図１】本発明に係る設定画面取込装置１００の実施の一形態を示すブロック図である。
【図２】新旧の計算機システムの構成およびその更新段階での検証作業の例を示す概念図である。
【図３】本発明に係る設定画面取込方法およびこれを用いた検証方法の処理の流れの一例を示すフローチャート図である。
【図４】既設の計算機システムのモニタ上に表示される設定画面の例を示す説明図である。
【符号の説明】
【００３７】
１００…設定画面取込装置
１０…画像信号取得部
２０…設定画面生成部
３０…設定入力文字識別部
４０…文字情報生成部
５０…文字情報送信部
ｍ１、ｍ２、ｍ３…設定画面
Ｐ１、Ｐ２、Ｐ３…設定入力文字表示領域
【図１】
2008250734.tif 000003
【図２】
2008250734.tif 000004
【図３】
2008250734.tif 000005
【図４】
2008250734.tif 000006